(57)【特許請求の範囲】
【請求項１】
光源と該光源からの光を導光して発光する導光発光部からなる発光部を筐体に備えた携帯端末装置において、
前記導光発光部は、光拡散剤を含有した導光発光部材であり、前記導光発光部に窪み部を有し、
前記窪み部と対向する対向面側に前記光源からの光を反射する反射膜を有し、
前記反射膜と前記導光発光部との間に着色された、或いは、文字記号等が印刷された印刷層を有したことを特徴とする携帯端末装置。
【請求項２】
前記窪み部の底面部は、前記窪み部の深さより低い高さの凹凸部を有することを特徴とする請求項１記載の携帯端末装置。
【請求項３】
前記携帯端末装置は、ヒンジ部を介して連結され前記ヒンジ部軸心を中心に折り畳むように回動可能な第１の筐体と第２の筐体とを有する折り畳み型の携帯端末装置であり、
前記導光発光部は、前記２つの筐体が折り畳まれた状態で前記第２の筐体と対向する前記第１の筐体側の対向面において前記第２の筐体に覆われない領域に配設したことを特徴とする請求項１または請求項２に記載の携帯端末装置。
【発明の詳細な説明】
【０００１】
【発明の属する技術分野】
本発明は、携帯電話装置や携帯型パーソナルコンピュータ等の携帯端末装置に備えられた発光部に関する。
【０００２】
【従来の技術】
従来の発光部を備えた携帯端末装置の一例として、特開平６−３２６６５８号公報に、発光部である着信ランプを備えた折り畳み式携帯電話機が開示されている。
この折り畳み式携帯電話機は、受話部と送話部とがヒンジにより回動可能に結合されており、受話部にはロッドアンテナが伸縮自在に設けられ、正面上部には受話口、正面中央には液晶ディスプレイが設けられ、側面には受話音量調整ボタンが設けられている。一方、送話部の正面にはダイヤル用テンキーと機能ボタンが、また正面下部には送話口が設けられ、下端側面には電源スイッチと着信ランプとが設けられている。また送話部の裏側には電池パックが装着されている。
【０００３】
そして、この折り畳み式携帯電話機の着信ランプは、送話口の面と電源スイッチの面に跨っており、各々の面におけるランプ表面は平坦である。
また、従来の携帯端末装置の発光部は、光源とその光源から放射された光を導く導光部とから構成され、携帯端末装置の筐体表面部にその導光部の一部が露出して設けられることによって、光源からの光をその露出した面から放射して発光しているものがある。
【０００４】
【発明が解決しようとする課題】
しかしながら、その導光部が光拡散性を有する導光発光部材であった場合に、その導光部（以下導光発光部）において、光源からの光が入射される部分と、光が入射される部分から離れた部分とでは、輝度に差が生じる場合がある。この輝度差は、導光発光部が大きく、導光発光部の面積が広くなる程顕著に現れる。従来の携帯端末装置において、着信ランプを導光発光部とみなし、表面を平坦なまま表面積を拡大した場合の導光発光部周辺の拡大図を図８に示す。
図８は、導光発光部周辺の拡大図であり、図８（ａ）は、導光発光部周辺の斜視図、図８（ｂ）は、導光発光部周辺の上面図である。
【０００５】
図８に示した着信ランプの導光発光部は、導光発光部の表面を平坦にしたまま大型化したものであり、図８（ｂ）においては、携帯端末装置に内蔵されている着信ランプの光源も示している。尚、光源からの光は、導光発光部に向かって放射されており、この導光発光部における概略輝度分布を、一点破線の等高線で示す。光源に近い部分は、輝度が高く、一方、光源から遠い部分は、輝度が低くなってしまう。
【０００６】
よって、携帯端末装置の使用者は、この導光発光部が光ることによって、着信等の各種アラームの報知を知ることになるが、仮に、上記の導光発光部の輝度の高い部分が何らかの障害物（指や手等）によって隠れ、輝度の低い部分が露出していたとしても、使用者は、この露出部分の輝度が低いために着信等の報知に気付かないという問題も考えられる。
【０００７】
また、光源の個数を増やして導光発光部を光照射することにより、導光発光部における低輝度部分をより少なくすることも考えられるが、光源の増加は、携帯端末装置の製造コストを増加させるばかりでなく、携帯端末装置の消費電力をも増加させる要因になってしまう。
【０００８】
本発明はこのような状況に鑑みてなされたもので、携帯端末装置の発光部における輝度を向上させた携帯端末装置を提供することを目的とする。
【０００９】
【課題を解決するための手段】
上記目的を達成する為の本発明の携帯端末装置は、光源と該光源からの光を導光して発光する導光発光部からなる発光部を筐体に備えた携帯端末装置において、前記導光発光部は、光拡散剤を含有した導光発光部材であり、前記導光発光部に窪み部を有し、前記窪み部と対向する対向面側に前記光源からの光を反射する反射膜を有し、前記反射膜と前記導光発光部との間に着色された、或いは、文字記号等が印刷された印刷層を有したことを特徴とする。
【００１０】
この携帯端末装置によれば、光源からの光が窪み部の表面で反射して、その反射した光は、窪み部表面近傍の導光発光部材により更に光拡散されて発光するので、窪み部近傍の導光発光部の輝度を高めることができる。
よって、導光発光部に窪み部を設ければ、導光発光部の低輝度部分が減少する（高輝度部分が増加する）ので、携帯端末装置の使用者は、発光による着信等の報知の認知が容易になる。
また、光源の個数を増やすことなく、導光発光部の低輝度部分を減少させることが可能である。
【００１１】
前記窪み部の底面部は、前記窪み部の深さより低い高さの凹凸部を有することを特徴とする。
【００１２】
この携帯端末装置によれば、窪み部の底面部に凹凸部を設けたことにより、光源からの光が凹凸部で反射して、その反射した光は、凹凸部近傍の導光発光部材により光拡散されて発光するので、凹凸部近傍の導光発光部の輝度も高めることができる。
【００１６】
この携帯端末装置によれば、光源から対向面側に放射された光は、反射膜によって反射するので、導光発光部の輝度を高めることができる。
【００１７】
本発明の携帯端末装置は、前記反射膜と前記導光発光部との間に着色された、或いは、文字記号等が印刷された印刷層を備えたことを特徴とする。
【００１８】
この携帯端末装置によれば、反射膜と導光発光部との間の印刷層が、着色された印刷層である場合は、反射膜によって反射した光が導光発光部の露出面に到達すると、露出面における発光色が着色された色に応じた発光色となる。
また、反射膜と導光発光部との間の印刷層が、文字等が印刷された印刷層である場合は、印刷された部分と印刷されない部分との反射率が異なるので、印刷部分を際立たせることができる。
【００２３】
本発明の携帯端末装置は、ヒンジ部を介して連結され前記ヒンジ部軸心を中心に折り畳むように回動可能な第１の筐体と第２の筐体とを有する折り畳み型の携帯端末装置であり、
前記導光発光部は、前記２つの筐体が折り畳まれた状態で前記第２の筐体と対向する前記第１の筐体側の対向面において前記第２の筐体に覆われない領域に配設したことを特徴とする。
【００２４】
この携帯端末装置によれば、２つの筐体が折り畳まれた状態であっても、第２の筐体の対面側とは反対の反対面（裏面）側から、発光検知部を目視可能であるので、使用者は、第２の筐体の反対面（裏面）側から着信状態や充電状態等を確認可能となる。
【００２５】
【発明の実施の形態】
図１〜３を参照して、本発明の携帯端末装置について説明する。
図１は、携帯端末装置の斜視図、図２は、携帯端末装置の発光部周辺の断面図と上面図、図３は、折り畳まれた状態の携帯端末装置の側面図である。
【００２６】
本発明の携帯端末装置について説明する。携帯端末装置は、例えば、折り畳み型の携帯電話装置であり、携帯端末装置の概略の外観は、図１に示すように第１の筐体である下筐体１０と第２の筐体である上筐体３０とヒンジ部５０とから構成されている。また、ヒンジ部５０は、下筐体１０と上筐体３０との各々の筐体から形成され、下筐体１０と上筐体３０とを互いにヒンジ部５０の軸心を中心に折り畳むように回動可能に連結している。
【００２７】
また、図１（ａ）に示すように、携帯端末装置は、下筐体１０と上筐体３０とが折り畳まれていない状態、即ち、下筐体１０と上筐体３０が開いた状態であると、下筐体１０と上筐体３０との対向する面（対向面）が互いに露出する。一方、図１（ｂ）に示すように、下筐体１０と上筐体３０とが折り畳まれると、下筐体１０と上筐体３０の対向面が接する、或いは、近接した状態になる。
【００２８】
下筐体１０は、外形が略箱形状になっており、上筐体３０との対向面には、携帯端末装置の操作を行う第１の操作部１２と、送話を行う送話部１４とを備え、ヒンジ部５０とは反対の端面にはコネクタ１６が、コネクタ１６側の下筐体１０の端部には、発光部２０の導光発光部２４が備えられている。
【００２９】
第１の操作部１２は、携帯端末装置に対する操作や入力を行うユニットであり、例えば、テンキーやファンクションキー等のキーで構成されている。このキー表面には、文字や記号、数字等が印刷されており、キー操作時においては、図示しないバックライトによって、各キーを照射してもよい。
送話部１４は、音声を電気信号に変換するユニットであり、いわゆる携帯電話装置に音声を入力するユニットである。
【００３０】
コネクタ１６は、図示しない外部装置のコネクタと接続する為のユニットであり、コネクタ１６を介して外部アンテナとの接続や、外部装置との音声信号や画像信号等の通信を行うことができる。また、このコネクタ１６経由で、図示しない外部電源から携帯端末装置への電源供給や、携帯端末装置に内蔵した電池パック（図示無し）への充電も可能である。
【００３１】
次に、図２を参照して、発光部２０について説明する。図２（ａ）は、携帯端末装置の発光部周辺の断面図であり、図２（ｂ）は、発光部周辺の上面図である。
発光部２０は、光源２２と導光発光部２４から構成されており、携帯端末装置が着信した時や、電池パックが携帯端末装置に装着された状態での充電時等に発光して、携帯端末装置の状態を報知する。
【００３２】
詳細には、光源２２が導光発光部２４に光を放射し、この放射された光が導光発光部２４で拡散されることによって、下筐体１０の表面に露出している導光発光部２４が発光する。
光源２２は、発光デバイスで、例えば、発光ダイオードであり、その発光ダイオードの光軸（図２（ａ）二重線矢印）は、導光発光部２４の係合部２４ａに向けられている。また発光ダイオードは、図示しない電気回路に接続されており発光制御されている。
【００３３】
導光発光部２４は、例えば、アクリル等の樹脂で形成されており、その樹脂は光拡散剤を含有しており、例えば、光拡散性を有した乳白色の導光発光部材となっている。
また、導光発光部２４は、導光発光部２４の一部である係合部２４ａを有しており、その係合部２４ａによって下筐体１０と係合して固定されている。
そして、導光発光部２４において、下筐体１０の表面に露出している面は、下筐体１０の表面と共に携帯端末装置の表面部分を形成している。また、この導光発光部２４の露出している表面部分は、下筐体１０の対向面及びこの対向面と接する（交叉する）３側面に跨るように形成されている。（図１参照）
【００３４】
更に、導光発光部２４の露出している表面部分には、窪み部２５が形成されている。窪み部２５は、図１（ｂ）に示すように、上面から見た場合は略長方形の溝である。窪み部２５は、略平坦な底面部２５ａと、光源２２側の側面部２５ｂと、側面部２５ｂと対峙する側面部２５ｃとからなる。
【００３５】
そして、導光発光部２４の露出している面と対向する対向面側（図２（ａ）の導光発光部２４の下方向）と下筐体１０との間に、印刷層２６と反射膜２７とがこの順で設けられている。
印刷層２６は、着色された、或いは、文字や記号等が印刷された印刷層である。印刷層が、着色された印刷層である場合は、反射膜２７によって反射した光が、導光発光部の露出面に到達すると、露出面における発光色が、印刷層に着色された色に応じた発光色となる。
また、印刷層が、文字等が印刷された印刷層である場合は、印刷された部分と印刷されない部分との反射率が異なるので、印刷部分を際立たせることができる。
【００３６】
反射膜２７は、光源２２から放射した光を反射する反射膜である。光源２２から導光発光部２４の対向面側に放射された光は、反射膜によって反射するので、導光発光部２４の輝度を高めることができる。
【００３７】
上記構成により光源２２から放射された光が、導光発光部２４と印刷層２６と反射膜２７とによって光拡散する様子を以下に説明する。
光源２２からの光は、まず導光発光部２４の係合部２４ａに放射されると、導光発光部２４は、光拡散剤を有しているのでその内部に光が拡散していく。この導光発光部２４における概略輝度分布を、一点破線の等高線２４ｂで示す。光源２２により近い部分の方が高輝度である。
【００３８】
係合部２４ａから導光発光部２４の本体部分に入ってきた光は、多方向に拡散する。この多方向に拡散された光の様子を、図２（ａ）に矢印で示す。例えば、ある光は、窪み部２５の側面部２５ｂに直接達し、ある光は、印刷層２６を透過し反射膜２７で反射し、更に印刷層２６を透過して、窪み部２５の底面部２５ａに達する。また、ある光は、導光発光部２４の端面２４ｃで一部反射して、窪み部２５の側面部２５ｃに達する。
【００３９】
そして、窪み部２５に達した光は、窪み部２５の表面で一部反射して、窪み部２５の表面近傍の導光発光部材により光拡散されて発光する。よって、窪み部２５近傍の導光発光部２４の輝度を高めることができる。図１（ａ）では、この輝度が高い表面である、窪み部２５の側面部２５ｂ、底面部２５ａ、側面部２５ｃを太線で示した。また、図１（ｂ）では、窪み部２５が高輝度となった側面部２５ｂ、２５ｃを太線で、底面部２５ａを斜線で示した。
【００４０】
そして、導光発光部２４において、窪み部２５が高輝度となるので、いままで導光発光部２４で低輝度部分であった部分が減少することになる。よって、携帯端末装置の使用者は、高輝度の部分が増加するので、発光による着信等の報知の認知がより容易となる。
【００４１】
次に、上筐体３０とヒンジ部５０について説明する。
上筐体３０は、外形が略箱形状になっており、下筐体１０との対向面には、受話を行う受話部３２と、携帯端末装置に関する各種表示を行う表示部３４とを備え、対向面の裏面には、第２の操作部３６の操作ボタンが設けられている。
受話部３２は、通話時に受信した音声を出力するユニットであり、表示部３４は、文字や記号や数字、画像等を表示する略平坦な表示ユニットであり、上筐体３０の対向面側から目視可能となっている。
第２の操作部３６は、携帯端末装置が折り畳まれた状態においても、露出しているので操作が可能である。
【００４２】
ヒンジ部５０には、下筐体１０内のユニットと上筐体３０内のユニットとを電気的に接続している可撓性基板（図示無し）が巻回して格納されている。
よって、携帯端末装置の下筐体１０と上筐体３０とは、ヒンジ部５０によって回動可能に連結されるとともに、可撓性基板によって下筐体１０内のユニットと上筐体３０内のユニットとは電気的に接続されている。
【００４３】
次に、下筐体１０と上筐体３０の大きさ（長さ）と質量について説明する。
下筐体１０のヒンジ部５０側の端面から、コネクタ１６が配設されている端面までの長さは、Ｌ１であり、上筐体３０のヒンジ部５０側の端面から、他方の端面までの長さが、Ｌ２とすると、Ｌ１の方がＬ２よりも長く（Ｌ１＞Ｌ２）なっている。
そして、携帯端末装置が折り畳まれた状態で、下筐体１０の対向面であって上筐体３０に覆われない領域に、発光部２０の導光発光部２４が配設されている。
【００４４】
よって、携帯端末装置が折り畳まれた状態（図１（ｂ））であっても、Ｌ１方向（長さ方向）において、導光発光部２４は長さ（Ｌ１−Ｌ２）分露出しているので、使用者は、上筐体３０の対向面とは反対面の方向（同図上方向）から、導光発光部２４を目視確認可能となる。
【００４５】
また、ヒンジ部５０を境にして、下筐体１０部分の重量は、上筐体３０部分の重量よりも重い構成になっている。下筐体１０には、比較的質量のある電池パックを装着しているので、下筐体１０部分の方が重くなっている。勿論、電池パック以外で重量のあるユニットを、下筐体１０に内蔵させてることによって、下筐体１０部分を重くしても良いし、下筐体１０の筐体材質を重い材質にして、下筐体１０部分を上筐体３０よりも重くしても良い。
【００４６】
この下筐体１０と上筐体３０との重量バランスによって、２つの筐体が折り畳まれた状態で、下筐体１０の対向面と反対の面を下にして置けば（図１（ｂ）で示すように）、携帯端末装置としての重心が低いので、携帯端末装置を安定して定置することができる。
【００４７】
次に、図３を参照して、携帯端末装置が折り畳まれた状態で、上筐体３０の反対面を下にして机上に置かれている場合について説明する。
図３（ａ）は、コネクタ１６側から見た側面図であり、図３（ｂ）は、右側側面図である。
図３においては、下筐体１０の反対面が上方に向き、導光発光部２４は、上方から見ると下向きになってしまうので、下筐体１０によって隠れてしまうが、導光発光部２４の対向面側表面（導光発光部２４の露出面）と下筐体１０の反対面（机と接している面）は、下筐体１０の厚みによる段差を有しているために、導光発光部２４は、机と密着せずにクリアランスを有している。
【００４８】
よって、この状態で、発光部２０の発光による報知が行われると、導光発光部２４の対向面側から照射された光は、机に向かって照射して、その照射した光は机表面で反射し、この反射光は、同図面上方から見ると、コネクタ１６側（図３（ｂ）矢印）と、左右側面側（図３（ａ）矢印）とに向かう。
従って、使用者は、携帯端末装置が、図３に示したように反対向きに置かれたとしても、この反射光が目視可能となるので、発光による報知が達成される。
【００４９】
次に、図４〜７を参照して、本発明おける別の形態の導光発光部と窪み部について説明する。
図４は、導光発光部の第２の形態を示す断面図と上面図、図５は、窪み部の凹凸形状の種類を示す断面図、図６は、導光発光部の第３の形態を示す断面図、図７は、導光発光部の第４の形態を示す上面図と断面図である。
【００５０】
（第２の形態）
図４（ａ）は、第２の形態の導光発光部の断面図であり、図４（ｂ）は、第２の形態の導電発光部の上面図である。図４に示す導光発光部２４の窪み部２５１は、窪み部の一部表面である底面部に凹凸部を設けている。
窪み部２５１は、底面部２５１ａと、光源２２側の側面部２５１ｂと、側面部２５１ｂと対峙する側面部２５１ｃとからなり、底面部２５１ａの表面には、各々の断面が略三角形の溝が光軸方向と垂直に連続して複数個並んでいる。また、底面部２５１ａの三角形の高さｔ２は、窪み部２５１の深さｔ１よりも低い（ｔ１＞ｔ２）。
【００５１】
そして、光源２２から係合部２４ａに放射された光が拡散されると、図４（ａ）の矢印に示すように、拡散された光は、底面部２５１ａの三角形の辺部分２５１ａ’で一部反射し、辺部分２５１ａ’の表面近傍の導光発光部材により光拡散されて発光する。よって、辺部分２５１ａ’近傍の導光発光部２４の輝度を高めることができる。図４（ａ）では、この輝度が高い表面である辺部分２５１ａ’、側面部２５１ｂ、２５１ｃを太線で示した。また、図４（ｂ）では、上面から窪み部２５１をみた場合に、高輝度となった側面部２５１ｂ、２５１ｃを太線で、底面部２５１ａ’を斜線で示した。
【００５２】
また、上記底面部２５１ａは、凹凸部の断面形状が略三角形としたが、図５（ａ）に示すように、矩形波のような略直方形の連続した凹凸部でも良いし、図５（ｂ）に示すように、半円形の連続した凹凸部でもよい。また、図５（ｃ）には、図５（ｂ）で示した凹凸部とは、上下逆の半円形の連続した凹凸部でもよい。
【００５３】
（第３の形態）
図６（ａ）は、第３の形態の導光発光部の断面であり、図６（ｂ）は、第３の形態の導電発光部において底面部に凹凸部を設けた場合の断面図である。図６に示す導光発光部２４の窪み部２５２は、底面部２５２ａと、光源２２側の側面部２５２ｂと、側面部２５２ｂと対峙する側面部２５２ｃとからなり、底面部２５２ａの法線Ｂは、光源２２の光軸Ａと９０°以外の角度θを成している。即ち、底面部２５２ａは、光軸に対して平行な面ではない。
【００５４】
よって、係合部２４ａで拡散された光は、この底面部２５２ａに、直接反射する面積が広がり、この角度を成した底面部２５２ａ近傍の導光発光部材により光拡散されて発光するので、底面部２５２ａ近傍の導光発光部の輝度を高めることができる。
尚、図６（ａ）で図示した角度θは、９０°よりも大きいが、９０°よりも小さくてもよい。その場合は、側面部２５ｃに向かって傾斜するので、導光発光部２４の端面２４ｃで一部反射した光が、底面部２５２ａに向かって、底面部２５２ａ近傍の導光発光部材により光拡散されて発光する。
【００５５】
また、図６（ｂ）に示すように、底面部２５２ａの表面沿って凹凸部を設けても良い。底面部２５２ａの表面には、各々の断面が略三角形の溝が光軸方向と垂直に連続して複数個並んでいる。また、底面部２５２ａの三角形群の高さｔ３は、窪み部２５２の深さｔ１よりも低い（ｔ１＞ｔ３）。
【００５６】
この場合は、底面部２５２ａが全体に傾斜しているので、光源２２からの拡散光が反射する面積が増えるだけでなく、拡散光が直接反射する辺部分２５２ａ’の面積も増えるので、輝度の高い部分の面積をより増やすことができる。
【００５７】
（第４の形態）
図７（ａ）は、導光発光部の第４の形態を示す上面図であり、図７（ｂ）は、導光発光部の第４の形態を示す窪み部の拡大断面図である。
窪み部２５３は、溝によって構成されているが、上面から見ると（図７（ａ）参照）、例えば、アルファベットの文字が刻まれている。また、文字形状の窪み部２５３の、例えば、「Ａ」の部分を拡大した上面図と、そのＡ断面を、図７（ｂ）に示す。
【００５８】
窪み部２５３は、断面が凹形状の溝で構成されている。よって、光源２２からの光が拡散されて、窪み部２５３の溝側面部や底面部の輝度が高まり（図７（ｂ）の太線で示す）、更に、文字の部分の輝度が高まるので、文字部の認識率が高まる。また、この文字部は、アルファベット以外の文字、記号であってもよい。
以上が、第２、３、４の形態の導光発光部と窪み部に係わる説明である。
【００５９】
また、本発明における発光部２０の光源２２は、着信時と充電時とで、発光周期が異なるようにして、使用者に対して着信時や充電時の区別を、導光発光部２４の高輝度な窪み部２５によって、より明確に表示するようにしても良い。更に、着信時や充電時だけでなく、電子メール受信時や、通話中にも発光部２０によって使用者にその使用状態を報知するようにしてもよい。
【００６０】
【発明の効果】
この携帯端末装置によれば、光源からの光が窪み部の表面で反射して、その反射した光は、窪み部表面近傍の導光発光部材により光拡散されて発光するので、窪み部近傍の導光発光部の輝度を高めることができる。
よって、導光発光部に窪み部を設ければ、導光発光部の低輝度部分が減少するので、携帯端末装置の使用者は、発光による着信等の報知の認知が容易になる。また、光源の個数を増やすことなく、導光発光部の低輝度部分が減少することが可能である。
【００６１】
【図面の簡単な説明】
【図１】携帯端末装置の斜視図である。
【図２】携帯端末装置の発光部周辺の断面図と上面図であり、図２（ａ）は、携帯端末装置の発光部周辺の断面図、図２（ｂ）は、発光部周辺の上面図である。
【図３】折り畳まれた状態の携帯端末装置の側面図である。
【図４】導光発光部の第２の形態を示す断面図と上面図であり、図４（ａ）は、第２の形態の導光発光部の断面図、図４（ｂ）は、第２の形態の導電発光部の上面図である。
【図５】窪み部の凹凸形状の種類を示す断面図であり、図５（ａ）は、略直方形の連続した凹凸部の断面図、図５（ｂ）は、半円形の連続した凹凸部の断面図、図５（ｃ）は、上下逆の半円形の連続した凹凸部の断面図である。
【図６】導光発光部の第３の形態を示す断面図であり、図６（ａ）は、第３の形態の導光発光部の断面図、図６（ｂ）は、第３の形態の導電発光部において底面部に凹凸部を設けた場合の断面図である。
【図７】導光発光部の第４の形態を示す上面図と断面図であり、図７（ａ）は、導光発光部の第４の形態を示す上面図、図７（ｂ）は、導光発光部の第４の形態を示す窪み部の拡大断面図である。
【図８】導光発光部周辺の拡大図であり、図８（ａ）は、導光発光部周辺の斜視図、図８（ｂ）は、導光発光部周辺の上面図である。
【符号の説明】
１０    下筐体
１２    第１の操作部
１４    送話部
１６    コネクタ
２０    発光部
２２    光源
２４    導光発光部
２４ａ  係合部
２４ｂ  等高線
２４ｃ  端面
２５（２５１、２５２、２５３）  窪み部
２５ａ    底面部
２５ｂ、２５ｃ  側面部
２６  印刷層
２７  反射膜
３０  上筐体
３２  受話部
３４  表示部
３６  第２の操作部
５０  ヒンジ部
【図１】
0004467819.tif 000002
【図２】
0004467819.tif 000003
【図３】
0004467819.tif 000004
【図４】
0004467819.tif 000005
【図５】
0004467819.tif 000006
【図６】
0004467819.tif 000007
【図７】
0004467819.tif 000008
【図８】
0004467819.tif 000009